(57)【要約】      （修正有）【課題】弱い力で、ＰＴＰシートから容易に錠剤を取り出すことができる錠剤取出器を提供する。【解決手段】本考案の錠剤取出器は、貫通孔１８とＰＴＰ保持部１７とを有する外箱１１と、貫通孔１８内を摺動可能なピストン１２と、ピストン１２を摺動させるハンドル１４と、を備え、ＰＴＰ保持部１７は錠剤を保持するＰＴＰシートを保持可能であり、ハンドル１４によりピストン１２を押して錠剤をＰＴＰシートから取り出すことを特徴とする。ハンドル１４とピストン１２との接合は、ハンドル１４を操作してピストン１２を摺動させるに充分なゆるみを有すると好都合である。貫通孔１８内には、ハンドル１４を押し戻しうるバネ１９を備えることができる。【選択図】図１
0003206411.tif 000002
【実用新案登録請求の範囲】
【請求項１】
貫通孔とＰＴＰ保持部とを有する外箱と、  
貫通孔内を摺動可能なピストンと、
ピストンを摺動させるハンドルと、を備え、
該ハンドルにより該ピストンを押して錠剤を該ＰＴＰシートから取り出すことを特徴とする錠剤取出器。
【請求項２】
前記貫通孔内には、前記ハンドルを押し戻しうるバネが備えられていることを特徴とする請求項１に記載の錠剤取出器。
【請求項３】
前記ピストンの先端はＰＴＰシートに対し斜めに切断された平面であることを特徴とする請求項１又は２に記載の錠剤取出器。
【請求項４】
前記ＰＴＰ保持部は、前記外箱の幅方向に３室の錠剤保持部を有することを特徴とする請求項１から３のいずれか１項に記載の錠剤取出器。
【請求項５】
前記ＰＴＰ保持部は、厚みが、前記外箱の幅方向について一定であることを特徴とする請求項１から３のいずれか１項に記載の錠剤取出器。
【請求項６】
錠剤取出口下部に袋型オブラートを据え置くに適した穴を備えることを特徴とする請求項１から５のいずれか１項に記載の錠剤取出器。
【考案の詳細な説明】
【技術分野】
【０００１】
本考案は、力の弱い人や片手しか使えない人でも容易にＰＴＰシートからの錠剤を取出すことができる錠剤取出器に関する。
【背景技術】
【０００２】
薬剤の投与のさい日常的に用いられている錠剤やカプセルは、紫外線や吸湿による変質や破損防止のため１個ずつ個別的に包装して流通させる場合が多い。そのさい、ＰＴＰシート、すなわち硬質プラスチックで形成した窪みのあるシートに錠剤若しくはカプセルを入れ、その上からアルミフィルム等でカバーした包装がよく用いられる。アルミフィルム等は容易に破ることができ、これを破って錠剤を取り出す。以下、本明細書において、錠剤というときはカプセルを含み、またＰＴＰシートの硬質プラスッチック側を表側、アルミフィルム等でカバーされた方を裏側と呼ぶことにする。
【０００３】
薬剤を日常的に飲んでいる方の中には、身体的な状況のためＰＴＰ包装された錠剤をうまく取り出せない方もおられる。また，錠剤の大きさは様々なので，大きいものは取り出せても小さいものはうまく取り出せない方もおられる。そのためＰＴＰ包装された錠剤を容易に取り出すための錠剤取出器が求められている。
【０００４】
錠剤の大きさの穴を上面に有する箱の上面の上にＰＴＰ包装された錠剤を置き、上から錠剤を押して錠剤のみを箱の中へ落とす錠剤取出器がいろいろ公表されている。
具体的には、バネを付した板の先に押し出棒を設けたもの（特許文献１、８）、箱の上にＰＴＰシートを置き指で押すもの（特許文献２）、錠剤を押し出す押しだし棒が錠剤を押すときドラムをも回してＰＴＰシートをずらせ、錠剤を次々取り出せるもの（特許文献３）等が公開されている。さらに、上面の穴を大きさの異なる３種類設け、穴に並行してＰＴＰシートを通す溝を設け、指で押し出す方式のもの（特許文献４）、箱の中に押し上げレバーを設けて下から押して取り出すもの（特許文献５）、箱の上にハンドルを設け、てこの原理を利用して錠剤を押して取り出すもの（特許文献６−８）等も公開されている。
【０００５】
そのほか円筒を斜めに切って斜め面を上にして立て、押出板と円筒斜め面との間にＰＴＰシートを挟んで押出板で押して取り出すものも公開されている（特許文献９）。また、最近半球型のドラムを利用するものも公表された（特許文献１０）。
【先行技術文献】
【特許文献】
【０００６】
【特許文献１】特開２０１１−１６１１１６号公報
【特許文献２】特開２００８−０５５１２８号公報
【特許文献３】特開２００３−２５２３１６号公報
【特許文献４】登録実用新案第３１７３２６６号公報
【特許文献５】登録実用新案第３０９２０８８号公報
【特許文献６】登録実用新案第３０５４８４１号公報
【特許文献７】登録実用新案第３０４８０７１号公報
【特許文献８】実開平０６−０８３０２９号公報
【特許文献９】特開２０１１−１２５３９２号公報
【特許文献１０】登録実用新案第３１９７０２４号公報
【考案の概要】
【考案が解決しようとする課題】
【０００７】
本考案が解決しようとする課題は、手が不自由なあるいは力が不十分な身体障害者や高齢者が、ＰＴＰシートに保持された錠剤を容易に取り出せる錠剤取出器を提供することである。
【課題を解決するための手段】
【０００８】
本考案の錠剤取出器は、貫通孔とＰＴＰ保持部とを有する外箱と、貫通孔内を摺動可能なピストンと、ピストンを摺動させるハンドルと、を備え、該ハンドルにより該ピストンを押して錠剤を該ＰＴＰシートから取り出すことを特徴とする。
【０００９】
外箱のＰＴＰ保持部は、本錠剤取出器を使用する際ＰＴＰシートを保持するスペースである。この大きさは、錠剤取出を手際よく行うために重要なものであるが、現実にはいろいろな大きさの錠剤、いろいろな大きさのＰＴＰシートが流通しているため容易には決めがたい。
ＰＴＰ保持部の厚み（ピストン摺動方向の幅）は、ピストンが当たる部分では、少なくとも錠剤を保持するＰＴＰシートを挿入できる程度の厚みであることが必要である。
【００１０】
ＰＴＰ保持部の下部の厚みは錠剤を保持しているＰＴＰシートのシート厚み程度にしておけば、その幅に錠剤を保持したＰＴＰシートを容易に差し込むことができる。この時ＰＴＰシートの表側をピストンに向け、裏側を錠剤取出口側に向け、錠剤をピストンの軸に相対する位置に保持することが必要である。錠剤を保持したＰＴＰシートを差し込んでおいてハンドルによりピストンをＰＴＰシート方向へ摺動させれば、ピストンの先端はやがてＰＴＰシートの表側を圧迫する。するとＰＴＰシートの裏側が破れ、錠剤は錠剤取出口へ落下する。
【００１１】
ＰＴＰシートはあらかじめ錠剤１個ごとに切断し、錠剤１個を保持したＰＴＰシートの１片をＰＴＰ保持部に差し込んでもよい。
この場合、ＰＴＰ保持部の幅（ピストンの摺動方向に垂直な方向の幅）は、錠剤１個を保持するＰＴＰシートが保持できる幅でよい。
【００１２】
ＰＴＰシートは通常１０個の錠剤を５個ずつ２列で保持している場合が多い。このようなＰＴＰシートは縦に切断し、５個の錠剤を１列に保持したＰＴＰシ−トをＰＴＰ保持部に挿入し、横にずらしながら順次錠剤を次々取り出すこともできる。
この場合、ＰＴＰ保持部の幅は、ＰＴＰシートの複数個の膨らみに対応し、複数個の幅の広い部分があることが好ましい。市販のＰＴＰシートにはいろいろな大きさのものがあることを考慮すれば、ＰＴＰ保持部全体の厚みを広げておいてもよい。
【考案の効果】
【００１３】
ハンドルとピストンの利用により、力が不十分なあるいは片手しか使えない身体障害者や高齢者でも、容易にＰＴＰシ−トから錠剤を取り出せる。
【図面の簡単な説明】
【００１４】
【図１】実施例１の錠剤取出器の側面図
【図２】実施例１の錠剤取出器の上面図
【図３】実施例２の錠剤取出器の側面図
【図４】実施例２の錠剤取出器の上面図
【図５】実施例３の錠剤取出器の斜視図
【００１５】
本考案の実施例を以下に示すが、本考案は実施例に限定されるわけではない。  
【実施例１】
【００１６】
本実施例の錠剤取出器の側面図を図１に、上面図を図２に示す。この錠剤取出器の大きさは、側面の幅約40mm、奥行き（上面の幅）約30mm、外箱の高さ約25mmである。
図１において、外箱１１の内部に設けられた貫通孔１８と錠剤取出口２０は破線で示している。さらにＰＴＰ保持部の厚み（ピストン摺動方向の幅）が狭い部分も破線で示している。ハンドル１４の下部は外箱１１の中に設けられているが、図１では便宜上ハンドル全体を実線で表示している。また貫通孔１８中に設けられたバネ１９は、外部からその全体を見ることはできないが、図をわかりやすくするため全体を記載した。なお、バネ１９の内ピストンの裏側に当たる部分は、破線により示している。
【００１７】
図２において、外箱１１の内部に設けられた貫通孔１８と錠剤取出口２０は破線で示している。しかしＰＴＰ保持部は全体が見えるので実線で表示している。
図２において、ハンドル１４の代わりに、外箱１１及びピストン１２に設けられたハンドル１４が配置される穴２１を表示している。ハンドルは動くものであるため、表示が複雑となるのを避けるためである。
図２により明らかなように、本実施例の錠剤取出器はＰＴＰ保持部が膨らんだ部分を３室持ち、従ってＰＴＰシートの３個の錠剤部分が保持器内に同時に保持されている。錠剤１個のみを保持したＰＴＰシートを用いる時は、中央の室（ピストンに当接する部分）のみを用いればよい。
【００１８】
本実施例の錠剤取出器は、貫通孔１８とＰＴＰ保持部１７とを有する外箱１１と、貫通孔１８内を摺動可能なピストン１２と、ピストン１２を摺動させるハンドル１４と、を備える。ＰＴＰ保持部１７は錠剤を保持するＰＴＰシートを挟んで保持することができる。ハンドル１４を図の左側に動かすと、ピストン１２は押されてピストンの先端部１３がＰＴＰシートを圧迫し、この圧迫によりＰＴＰシート裏面のアルミフィルムが破れ、錠剤がＰＴＰシートから取り出される。取り出された錠剤は外箱１１の錠剤取出口２０より外箱外部へ転がり出る。
【００１９】
ハンドルはある程度の強度を持たせるため厚い板が用いられる。ピストンの右部１２に切り込みを入れ、ハンドルはその中に設けられているが、図１ではこの部分も実線で示している。図２に示すように、ピストンの右部１２は、厚いハンドルのための切り込みを安定に設けるため、ピストンの先端部１３より太くなっている。
【００２０】
ハンドル１４は、ハンドルを外箱１１に取り付けるためのジョイント１５とハンドルとピストンとの取付部１６を結ぶ直線上に設けてもよい。ハンドルを図１に示すような分岐した形状とする必然性はない。ピストンを摺動させることができる限り、ハンドルの形状は問わない。
【００２１】
ハンドル１４とピストン１２との接合部分１６には、ゆるみが設けられている。これはハンドル１４を左右に動かすと、垂直となる時（１６が１５の真上となる時）接合点１６は最も高くなり、ゆるみがなければハンドルが動かなくなるためである。接合点が上下に移動可能なことにより、ハンドルを操作してピストンをいずれの方向にも摺動させることができる。
貫通孔内には、ハンドルを押し戻しうるバネ１９を備えておくことができる。ハンドルを押して錠剤を取り出そうとする時、錠剤が取り出されたさいハンドルから手を離せば、ピストン１２はバネ１９の力で自然に右の最初の位置に移動する。
なお、ハンドルを手で元に戻せば、ピストンはハンドルに繋がれているので、ピストンも元の位置に戻る。その意味で、バネは必須部品ではない。
【００２２】
ピストンの先端部１３は、ピストンの移動方向に垂直な平面であるより、ピストンの移動方向にやや傾斜を有する平面である方が好都合である。その方がＰＴＰシートの背面のアルミフォイルの面を容易に破ることができる。なお、先端に傾斜がなくてもアルミフォイル面を破ることは可能であり、傾斜を設けることは必須ではない。
ピストンの先端は、平面でなく、球面の一部のような丸みを帯びていてもよい。
【００２３】
ＰＴＰシートに保持される錠剤やカプセルにはいろいろな大きさのものがあり、その結果ＰＴＰシートの厚みは一定ではない。ＰＴＰ保持部１７の幅は使用が想定されるＰＴＰシートの内最も厚いものに合わせておけばよい。
ＰＴＰシートの錠剤のない部分は、下部の細い部分に差し込む。そして錠剤が丁度ピストン先端と向き合うように配置する。ＰＴＰシートが充分大きければ、ＰＴＰシートを手に持った状態で、ＰＴＰシートの錠剤をピストンの先端に合わせて本錠剤取出器を操作すればよい。
【実施例２】
【００２４】
本実施例の錠剤取出器の側面図を図３に、上面図を図４に示す。この錠剤取出器の大きさは、実施例１のものと同じであり、側面の幅約40mm、奥行き（上面の幅）約30mm、外箱の高さ約25mmである。
実施例２の錠剤取出器と実施例１の錠剤取出器との相違点は、ＰＴＰ保持部にある。ここではＰＴＰ保持部の相違点について説明する。共通する構造や特徴は実施例１の説明を参照されたい。
【００２５】
本実施例の錠剤取出器のＰＴＰ保持部は、厚みが、前記外箱の幅方向について一定である。外箱の横方向からＰＴＰ保持部にＰＴＰシートを差し込み、錠剤１個分１つずつＰＴＰシートをずらしながら、順番に錠剤を取り出すことができる。このように、１枚のＰＴＰシートから、一度に複数の錠剤を次々に取り出す場合には、ＰＴＰ保持部は、外箱の端から端まで一様に広いことが望ましい。すなわち、本実施例の錠剤取出器は１枚のＰＴＰシートから錠剤を次々に取り出すのに適している。
市販のＰＴＰシートにはいろいろな大きさのものがあるので、実施例１の錠剤取出器が使いにくい場合には、実施例２の錠剤取出器を用いることができる。
【実施例３】
【００２６】
高齢者の中には、錠剤やカプセルを飲み込むのが困難な方がおられる。実施例１又は実施例２の錠剤取出器の錠剤取出口を、袋型オブラートを置きやすいように修正すれば、錠剤のオブラート包みに便利な錠剤取出器となる。袋型オブラートは市販されているが、１枚の平面型オブラートから自分で作ることもできる。
【００２７】
実施例３の錠剤取出器を図５に示す。錠剤取出器は、取出口周辺を中心に記載し、他の部分は省略した。この錠剤取出器は、主要部分は実施例１又は２のものと同一であるが、さらに袋型オブラートを据え置くに適した穴３１を有する錠剤取出器付属台３０を備えている。錠剤取出器付属台３０は、図１〜４に示した錠剤取出器と別体でもよいが、同一体としてもよい。
【００２８】
袋型オブラートは、底部を付属台３０の穴３１にいれ、錠剤取出口２０の壁面に沿わせるように立てる。すると、取り出された錠剤は取出口２０から飛び出すと袋型オブラートの中へ転がり込む。
また、袋型オブラートが据え置かれていない時は、取り出された錠剤は取出口２０から飛び出すと穴３１に転がり込み、逸散することがない。
【符号の説明】
【００２９】
１１  錠剤取出器外箱
１２  ピストン
１３  ピストン先端部
１４  ハンドル
１５  ハンドルを外箱に取り付けるためのジョイント
１６  ハンドルとピストンの取付部
１７  ＰＴＰ保持部
１８  貫通孔
１９  バネ
２０  錠剤取出口
２１  ピストン保持部の穴
３０  錠剤取出器付属台
３１  袋型オブラート据置用穴
【図１】
0003206411.tif 000003
【図２】
0003206411.tif 000004
【図３】
0003206411.tif 000005
【図４】
0003206411.tif 000006
【図５】
0003206411.tif 000007